(57)【要約】【課題】使用中に一部が脱落した際、脱落した部分の探索を容易に行うことができるマスクを提供すること。【解決手段】着用者の鼻孔及び口を覆う通気性を有するマスク本体部２と、マスク本体部２に設けられ、マスク本体部２を着用者に対して装着させる装着部材３,３と、マスク本体部２の上端部２ｃに沿って設けられ、塑性変形性を有するノーズピース４と、を備え、マスク本体部２と、装着部材３と、ノーズピース４とが、使用する環境内で違和感を感じさせる同一の有彩色に着色されている。【選択図】図１
2018003200.tif 000002
【特許請求の範囲】
【請求項１】
着用者の鼻孔及び口を覆う通気性を有するマスク本体部と、
前記マスク本体部に設けられ、前記マスク本体部を前記着用者に対して装着させる装着部材と、
前記マスク本体部の上端部に沿って設けられ、塑性変形性を有するノーズピースと、を備え、
前記マスク本体部と、前記装着部材と、前記ノーズピースとが、使用する環境内で違和感を感じさせる同一の有彩色に着色されている
ことを特徴とするマスク。
【請求項２】
請求項１に記載されたマスクにおいて、
前記マスク本体部と、前記装着部材と、前記ノーズピースとが、いずれも青色系統の同一色に着色されている
ことを特徴とするマスク。
【請求項３】
請求項１又は請求項２に記載されたマスクにおいて、
前記マスク本体部は、１枚又は重なり合う複数枚の不織布によって形成され、
前記ノーズピースは、前記不織布よりも硬度が高い材料によって形成されると共に、前記マスク本体部の上端部を上下方向に折り返して形成された折返空間内に収容されている
ことを特徴とするマスク。
【発明の詳細な説明】
【技術分野】
【０００１】
本発明は、着用者の鼻孔や口を覆い、口等からの飛沫の飛散を防ぐマスクに関する発明である。
【背景技術】
【０００２】
従来、着用者の鼻孔及び口を覆う通気性を有するマスク本体部と、マスク本体部に設けられた紐状の装着部材と、マスク本体部の上端部に沿って設けられたノーズピースと、を備え、マスク本体部と装着部材、ノーズピースをそれぞれ異なる色に着色したマスクが知られている（例えば、特許文献１参照）。
【先行技術文献】
【特許文献】
【０００３】
【特許文献１】特開２０１５-２２３３０２号公報
【発明の概要】
【発明が解決しようとする課題】
【０００４】
ところで、食品加工工場では、食品に異物が混入した際、色を基準にして異物を探索することが一般的に行われている。すなわち、食品加工工場において使用したマスクの一部が脱落した場合では、脱落した部位を着色した色を基準にしてマスクの一部を探索する。
しかしながら、従来のマスクでは、部位ごとに着色した色が異なっているため、探索前に、脱落した部位を特定して探索対象となる色を周知する必要があり、マスクの探索が困難になっていた。
一方、マスク本体部と装着部材とノーズピースとを全て無彩色の白色のみで構成したマスクが一般的に知られている。しかし、食品内に白色の異物が混入していても目立ちにくい。つまり、白色マスクの一部が食品に混入しても違和感を感じにくく、探索しにくいという問題がある。
【０００５】
本発明は、上記問題に着目してなされたもので、使用中に一部が脱落した際、脱落した部分の探索を容易に行うことができるマスクを提供することを目的とする。
【課題を解決するための手段】
【０００６】
上記目的を達成するため、本発明のマスクは、着用者の鼻孔及び口を覆う通気性を有するマスク本体部と、前記マスク本体部に設けられ、前記マスク本体部を前記着用者に対して装着させる装着部材と、前記マスク本体部の上端部に沿って設けられ、塑性変形性を有するノーズピースと、を備え、前記マスク本体部と、前記装着部材と、前記ノーズピースとが、使用する環境内で違和感を感じさせる同一の有彩色に着色されている。
【発明の効果】
【０００７】
よって、本発明のマスクでは、使用中に一部が脱落した際、マスク本体部と装着部材とノーズピースに施された有彩色を有するものを探索すればよいので、脱落した部位に拘らず探索対象となる色は一色に限定される。しかも、探索対象となる色が、使用する環境内で違和感を感じさせる有彩色であるため、比較的目立つ。この結果、脱落した部分の探索を容易に行うことができる。
【図面の簡単な説明】
【０００８】
【図１】実施例１のマスクを示す正面図である。
【図２】実施例１のマスクを示す背面図である。
【図３】図１のＡ−Ａ断面図である。
【図４】装着部材の脱落可能性が高いマスクの一例を示すマスク背面図である。
【図５】ノーズピースの脱落可能性が高いマスクの第１例を示すマスク背面図である。
【図６】ノーズピースの脱落可能性が高いマスクの第２例を示すマスク正面図である。
【図７】実施例１のマスクの変形例を示す斜視図である。
【発明を実施するための形態】
【０００９】
以下、本発明のマスクを実施するための形態を、図面に示す実施例１に基づいて説明する。
【００１０】
（実施例１）
図１〜図３は実施例１のマスクを示している。以下、図１〜図３に基づき、本発明のマスクの構成について説明する。
【００１１】
実施例１のマスク１は、マスク本体部２と、一対の耳掛け部（装着部材）３,３と、ノーズピース４と、を備えている。
【００１２】
マスク本体部２は、通気性を有する不織布製のシートであり、着用者の鼻孔及び口を覆い、口等からの飛沫の飛散を防ぐ。このマスク本体部２は、一般的な使い捨てマスクや衛生マスクに用いられるものと同様な素材によって形成され、ここでは、ポリプロピレンのメルトブレーンにより得られた目の細かな基材に超極細繊維を付着加工させてきめ細かなフィルタ状に加工した不織布を、二枚重ねて形成された２ＰＬＹとなっている。
マスク本体部２は、横長の矩形形状を呈し、幅方向（横方向）に沿った複数の折り目５（上下方向にジグザグ状に折り重ねて形成した折り目）を有している。この折り目５の数は、三〜六本が望ましい。また、マスク本体部２の形状としては、矩形のほか、楕円形、菱形等適宜の形状を採用することができる。
【００１３】
そして、このマスク本体部２は、幅方向（横方向）の両側部２ａ,２ｂのそれぞれに、スポット溶着縦列６が設けられ、重ねられた二枚の不織布が接合されると共に、折り目５が保持されている。
【００１４】
また、マスク本体部２の上端部２ｃは、下方に折り返されて、幅方向（横方向）に延びる上側スポット溶着横列７が設けられて、折り返し状態が保持されている。このとき、上側スポット溶着横列７は、上下方向に３列並んでおり、最上部に位置する第１列７ａと中間部に位置する第２列７ｂとの間隔が、第２列７ｂと最下部に位置する第３列７ｃとの間隔よりも大きくなっている。すなわち、マスク本体部２の上端部２ｃに設けられた上側スポット溶着横列７の第１列７ａと第２列７ｂとの間に、折返空間Ｏが形成されている。
【００１５】
そして、この折返空間Ｏには、２か所のスポット溶着部８Ａ、８Ｂが設けられている。このスポット溶着部８Ａ、８Ｂは、折返空間Ｏの幅方向中間部に、所定の間隔をあけて設けられている。ここでは、マスク本体部２の一方の側部２ａから一方のスポット溶着部８Ａまでの寸法Ｌ１と、マスク本体部２の他方の側部２ｂから他方のスポット溶着部８Ｂまでの寸法Ｌ２とを、同じ寸法に設定すると共に、二つのスポット溶着部８Ａ、８Ｂの間隔寸法Ｌ３を、寸法Ｌ１及び寸法Ｌ２よりも長くなるように設定する。
【００１６】
さらに、マスク本体部２の下端部２ｄは、上方に折り返されて、幅方向（横方向）に延びる下側スポット溶着横列９が設けられ、折り返し状態が保持されている。なお、このマスク本体部２の下端部２ｄに設けられた下側スポット溶着横列９も上下方向に３列並んでいるが、この３列の下側スポット溶着横列９の間隔は一定である。
【００１７】
一対の耳掛け部３,３は、着用者の耳に係止されることで、マスク本体部２を着用者の顔面に装着させるものであり、それぞれ伸縮性を有するゴム紐によって形成されている。そして、各耳掛け部３は、両端３ａ,３ｂがマスク本体部２の両側部２ａ,２ｂの上下位置にそれぞれ溶着固定されてリング状になっている。
【００１８】
ノーズピース４は、適宜に変形されて、マスク本体部２の上端部２ｃを着用者の鼻の形にフィットさせる棒状部材である。このノーズピース４は、マスク本体部２を形成する不織布よりも硬度が高く塑性変形性を有する材料、例えば軟性の針金やポリエチレン等により形成されている。このノーズピース４は、マスク本体部２の上端部２ｃに形成された折返空間Ｏの内部に収容され、２か所のスポット溶着部８Ａ、８Ｂの間に配置されている。
【００１９】
そして、この実施例１のマスク１は、食品加工工場内で使用されることを想定し、マスク本体部２を形成する二枚の不織布と、一対の耳掛け部３,３と、ノーズピース４とが、青色系統の同一色に着色されている。つまり、マスク１の全体が、すべて同一の有彩色に着色されている。
【００２０】
ここで「同一の有彩色」とは、色相、明度、彩度（飽和度）の三次元をすべて含む色、つまり明度の次元しか含まない白、灰、黒といった無彩色を除いたすべての色の中で、マンセル色相環の５つの基本色相において同一色相内の色であることをいう。なお、明度や彩度については、異なっていてもよい。また、「青色系統の同一色」とは、青（Ｂ）の色相を有する色であり、一般的に食品に使用されることのない色である。このため、「青色系統の同一色」は、使用される環境内（ここでは、食品加工工場内）で違和感を感じる色となる。
なお、「違和感を感じる色」とは、当該マスク１が使用される環境内（例えば食品加工工場内）において通常使用されることの少ない色であり、その色のものが存在すれば容易に発見することができる色を指す。
【００２１】
次に、実施例１のマスク１の作用を説明する。
【００２２】
実施例１のマスク１を使用するには、まず、一対の耳掛け部３,３をマスク本体部２の外側に出してから、折り目５を上下方向に伸ばしてマスク本体部２を広げる。次に、マスク本体部２を着用者の顔に当て、ノーズピース４を鼻の形に合わせて変形させると共に、マスク本体部２を顎の下まで伸ばす。最後に、マスク本体部２を顔面にフィットさせながら、一対の耳掛け部３,３をそれぞれ耳にかける。これにより、マスク１は着用者に対し、正しく装着される。
【００２３】
一方、実施例１のマスク１では、マスク本体部２に対して一対の耳掛け部３,３の両端３ａ,３ｂが溶着固定されている。そのため、図４に示すように、溶着位置がずれたり（Ｂ部）、耳掛け部３の端部の位置がずれる（Ｃ部）等して、耳掛け部３の両端３ａ,３ｂが適切な状態で溶着固定されていない場合には、耳掛け部３がマスク本体部２から外れてしまい、使用中や使用前後において耳掛け部３が脱落する可能性がある。また、この耳掛け部３がゴム紐によって形成されているので、鋭利な突起物に引っ掛けたときなどには破断してしまい、やはりこの耳掛け部３が脱落する可能性がある。
【００２４】
また、ノーズピース４は、マスク本体部２の上端部２ｃに上側スポット溶着横列７を設けることで形成された折返空間Ｏの内部に収容されている。
しかしながら、図５に示すように、ノーズピース４が折返空間Ｏからはみ出た状態で上側スポット溶着横列７が設けられたり、そもそも上側スポット溶着横列７の溶着位置が適切な位置からずれて、折返空間Ｏに隙間が生じたりしている場合には、マスク１の使用中等にノーズピース４が折返空間Ｏから脱落する可能性がある。
【００２５】
しかも、この実施例１では、マスク本体部２が不織布製であり、ノーズピース４がマスク本体部２を形成する不織布よりも硬度が高い材料によって形成されている。そのため、ノーズピース４がマスク本体部２を突き破って折返空間Ｏから外に出てしまうこと（図６に示すＤ部）があり、やはりマスク１の使用中や使用前後において、ノーズピース４が脱落する可能性がある。
【００２６】
ここで、実施例１のマスク１を、例えば弁当製造工場のような食品加工工場内で使用する場合を考える。通常、マスク１の製造品質が保証された上、着用者がこのマスク１を正しく装着している場合には、マスク１の一部が脱落し、加工中の食品内にマスク１の一部が混入する可能性は非常に低い。しかしながら、上述のように、何らかの理由によりマスク１に破損が生じた場合等では、マスク１の一部が脱落し、加工中の食品内に混入することが考えられる。
【００２７】
これに対し、実施例１のマスク１では、マスク本体部２を形成する二枚の不織布と、一対の耳掛け部３,３と、ノーズピース４とが、すべて青色系統の同一色に着色されている。
そのため、マスク１の一部が脱落し、加工中の食品の中に混入した可能性が発覚時点で、食品内に青色系統のものが混入していないかを探索することで、脱落した部位に拘らず異物（脱落したマスク１の一部）の混入を探索することができる。
【００２８】
すなわち、マスク本体部や耳掛け部（装着部材）、またノーズピースが、それぞれ異なる色によって着色されているマスクを使用している場合において、マスクの一部が脱落したときには、まず、脱落したマスクの部位を特定する必要がある。そして、脱落した部位の色を基準にして、加工中の食品内への異物の混入の有無を探索しなければならない。そのため、異物混入の探索が困難になる。また、脱落した部位を正確に特定しなければ、間違った色を基準にして異物の探索を行うことになり、異物を発見できないおそれも生じる。
【００２９】
しかしながら、実施例１のマスク１では、マスク本体部２等が同一の有彩色（青色系統の色）によって着色されているので、脱落部位を特定する必要なく、このマスク本体部２等を着色している色（青色系統の色）を基準にして異物を探索することができる。
【００３０】
しかも、青色系統の色は、一般的に食品に使用されることのない色であり、マスク１が使用される環境内（食品加工工場内）で違和感を感じる色である。そのため、脱落したマスク１の一部が加工中の食品に紛れてしまっても、比較的容易に発見することができる。
つまり、白色一色で構成されたマスクが一般的に使用されるものの、白や黒等の無彩色は、このマスクが使用される環境内（食品加工工場内）で違和感を感じにくい。そのため、食品に紛れた場合や床等に落ちている際に、容易に識別することが難しい。
これに対し、青色系統の色は、食品加工工場内で比較的目立ちやすく、発見しやすい。そのため、異物の混入を容易に探索することができる。
【００３１】
さらに、この実施例１では、マスク本体部２が、二枚の不織布を重なり合わせて形成されると共に、ノーズピース４が、マスク本体部２を形成する不織布よりも硬度が高い材料によって形成されている。さらに、このノーズピース４が、マスク本体部２の上端部２ｃを下方に折り返して形成された折返空間Ｏ内に収容されている。
すなわち、ノーズピース４は、マスク本体部２に固定されず、折返空間Ｏ内での移動が可能となる。
【００３２】
そのため、ノーズピース４を着用者の鼻の形に合わせて変形させる際、マスク本体部２が引っ張られたり、このマスク本体部２がノーズピース４の変形を阻害したりすることなく、適切な形状にノーズピース４を容易に変形させることが可能となる。
また、ノーズピース４を変形可能な状態を保持しつつ、マスク本体部２に固定して一体化するためには、このノーズピース４をマスク本体部２に対して、適切な位置に適切な状態で固定する必要がある。しかしながら、ノーズピース４が細長い棒形状であるため、位置の特定が困難であり、容易に固定することができない。これに対し、マスク本体部２の上端部２ｃを下方に折り返して形成された折返空間Ｏ内にノーズピース４を収容することで、マスク本体部２とノーズピース４とを容易に一体化することができる。
【００３３】
なお、この実施例１では、折返空間Ｏにスポット溶着部８Ａ,８Ｂが設けられ、ノーズピース４がその間に配置されている。そのため、ノーズピース４の折返空間Ｏ内での位置を限定でき、ノーズピース４の位置ずれを防止することができる。また、折返空間Ｏをノーズピース４の軸方向に封鎖することができ、ノーズピース４が折返空間Ｏから抜け出ることを防止できる。
【００３４】
以上、本発明のマスクを実施例１に基づき説明してきたが、具体的な構成については、この実施例１に限られるものではなく、特許請求の範囲の各請求項に係る発明の要旨を逸脱しない限り、設計の変更や追加等は許容される。
【００３５】
実施例１では、マスク本体部２や耳掛け部３、ノーズピース４を青色系統の同一色に着色した例を示した。しかしながら、使用環境内で違和感を感じる有彩色であればよいので、青色系統に限定されない。つまり、使用環境に応じて、赤（Ｒ）の色相を有する赤色系統の同一色に着色してもよいし、黄（Ｙ）の色相を有する黄色系統の同一色に着色してもよい。さらに、緑（Ｇ）の色相を有する緑色系統や、紫（Ｐ）の色相を有する紫色系統、特定の中間色の色相（例えば、赤紫(ＲＰ)の色相や、黄赤(ＹＲ)の色相であって、いわゆるピンク色となる）を有する色の同一色であってもよく、任意に選択することができる。
【００３６】
また、実施例１では、装着部材を、ゴム紐によって形成され、マスク本体部２の側部２ａの上下位置に両端３ａ,３ｂをそれぞれ溶着することでリング状とし、着用者の耳に係止する耳掛け部３とした例を示した。しかしながらこれに限らず、装着部材は、例えば、マスク本体部２と一体化した不織布によって形成された耳掛け部であってもよいし、着用者の後頭部で結ぶことが可能な紐によって形成された装着紐であってもよい。
【００３７】
さらに、図７に示すように、ゴム紐によって形成されており、マスク本体部２の上端部２ｃの左右位置に両端３０ａ,３０ｂがそれぞれ溶着された第１装着部材３０αと、マスク本体部２の下端部２ｄの左右位置に両端３０ａ,３０ｂがそれぞれ溶着された第２装着部材３０βと、によって装着部材を構成してもよい。
この場合では、第２装着部材３０βを首の後側に係止し、第１装着部材３０αを後頭部に係止して使用するオーバーヘッドタイプのマスク１０となる。
【００３８】
なお、図７に示す変形例のマスク１０では、装着部材を第１装着部材３０αと第２装着部材３０βとによって構成しているが、これに限らない。例えば、装着部材が着用者の後頭部に係止される一本のゴム紐によって形成されているものであってもよい。
【００３９】
さらに、実施例１では、マスク本体部２を二枚の不織布を重ね合わせて形成した２ＰＬＹである例を示したが、これに限らない。マスク本体部を一枚の不織布で形成したもの（１ＰＬＹ）や、三枚の不織布を重ね合わせて形成したもの（３ＰＬＹ）、四枚の不織布を重ね合わせて形成したもの（４ＰＬＹ）等であってもよい。また、マスク本体部２は、不織布以外の織布や、紙、ガーゼ等によって形成してもよい。
【符号の説明】
【００４０】
１  マスク
１０  マスク
２  マスク本体部
２ａ、２ｂ  側部
２ｃ  上端部
２ｄ  下端部
３  耳掛け部（装着部材）
３０α  装着部材
３０β  装着部材
４  ノーズピース
５  折り目
６  スポット溶着縦列
７  上側スポット溶着横列
８Ａ、８Ｂ  スポット溶着部
９  下側スポット溶着横列
【図１】
2018003200.tif 000003
【図２】
2018003200.tif 000004
【図３】
2018003200.tif 000005
【図４】
2018003200.tif 000006
【図５】
2018003200.tif 000007
【図６】
2018003200.tif 000008
【図７】
2018003200.tif 000009